(57)【要約】【課題】撮影者の操作感を損なうことなく、撮影者がサムリングから手を離しても、サムリングの中立点復帰時の騒音が発生しないことが可能となるズームレンズ操作装置を提供すること。【解決手段】弾性部材とカム部材とカム摺動部材により、中立点位置を安定位置となるように弾性的に支持されたサムリングと、前記サムリングの回転変位が伝達されて動作に必要な出力信号を得ることで、テレビレンズのズーム遠隔操作を行わせるサーボコントロール手段を有するテレビレンズ操作装置において、中立点復帰の直前のみ前記弾性力と対峙する力を発生させるショック吸収手段が設けられることを特徴とする。【選択図】図１
2017097130.tif 000002
【特許請求の範囲】
【請求項１】
弾性部材とカム部材とカム摺動部材により、中立点位置を安定位置となるように弾性的に支持されたサムリングと、前記サムリングの回転変位が伝達されて動作に必要な出力信号を得ることで、テレビレンズのズーム遠隔操作を行わせるサーボコントロール手段を有するテレビレンズ操作装置において、
中立点復帰の直前のみ前記弾性力と対峙する力を発生させるショック吸収手段が設けられることを特徴とするテレビレンズ操作装置。
【請求項２】
前記ショック吸収手段は弾性部材を有することを特徴とする請求項１に記載のテレビレンズ操作装置。
【請求項３】
前記ショック吸収手段は前記弾性力と対峙する磁力を発する部材を有することを特徴とする請求項１に記載のテレビレンズ操作装置。
【請求項４】
前記弾性力と前記ショック吸収力を同時に可変させることが出来ることを特徴とする請求項１乃至請求項３の何れか一項に記載のテレビレンズ操作装置。
【請求項５】
前記ショック吸収手段は粘性流体を有することを特徴とする請求項１に記載のテレビレンズ操作装置。
【発明の詳細な説明】
【技術分野】
【０００１】
本発明は、レンズ操作装置、特に回転操作によりズームレンズの駆動系を制御するズームレンズのズームレンズ操作装置に関する。
【背景技術】
【０００２】
テレビカメラ用レンズにおいて、撮影者はズーム操作を行うためにズームレンズ操作装置を使用する。このズームレンズ操作装置は撮影者が手動で操作するための操作部材に相当するサムリングを有する。サムリング回転範囲の中点（サムリング中立点）からテレ方向およびワイド方向へ回転操作によって、サムリングの回転筒に取付けられた回転角度センサから角度信号を得る。得られた角度信号がサムリング中立点であれば、ズーム駆動信号の出力は行わない。
【０００３】
中立点以外のテレ方向もしくはワイド方向での角度信号が得られれば、その角度に応じて、テレ方向もしくはワイド方向へレンズ装置のモータ等の駆動装置を制御し、ズームスピードをコントロールする。撮影者が操作しない際には、サムリングが傾くことで角度信号が発生することが無いよう、弾性部材とカム部材及びカム部材に係合する摺動部材により常にサムリングが中立点に復帰する状態を維持する。
【０００４】
特許文献１には、ズームレンズ操作装置の中立点復帰機構に関する技術が開示されている。
【先行技術文献】
【特許文献】
【０００５】
【特許文献１】特開平８−１８４７４３号公報
【発明の概要】
【発明が解決しようとする課題】
【０００６】
しかしながら、上述の特許文献に開示された従来技術では、撮影者がズームレンズ操作装置を操作し所望の画角が得られた後サムリングから手を離すと、弾性部材によりカム部材が勢いよく押される。すると、押されたカム部材と摺動部材がサムリングの中立点復帰時に衝突し、大きな騒音を発生させる。この騒音に対して、カム部材と摺動部材の摺動抵抗を増やす等の対策を行うと、撮影者が操作を行う際に増やした摺動抵抗を感じてしまうため、操作感を損なうこととなる。
【０００７】
そこで、本発明の目的は、撮影者の操作感を損なうことなく、撮影者がサムリングから手を離しても、サムリングの中立点復帰時の騒音が発生しないことが可能となるズームレンズ操作装置を提供することにある。
【課題を解決するための手段】
【０００８】
上記の目的を達成するために、本発明に係るズームレンズ操作装置は、
弾性部材とカム部材とカム摺動部材により、中立点位置を安定位置となるように弾性的に支持されたサムリングと、前記サムリングの回転変位が伝達されて動作に必要な出力信号を得ることで、テレビレンズのズーム遠隔操作を行わせるサーボコントロール手段を有するテレビレンズ操作装置において、中立点復帰の直前のみ前記弾性力と対峙する力を発生させるショック吸収手段が設けられることを特徴とする。
【発明の効果】
【０００９】
本発明によれば、撮影者の操作感を損なうことなく、撮影者がサムリングから手を離しても、サムリングの中立点復帰時の騒音が発生しないことが可能となるズームレンズ操作装置を提供することが出来る。
【図面の簡単な説明】
【００１０】
【図１】実施例１の断面図である。
【図２】図１のＡ-Ａ断面図である。
【図３】図１のＢ視図である。
【図４】図１のＣ視図である。
【図５】図１のＤ-Ｄ断面図である。
【図６】実施例２の断面図である。
【図７】図６のＡ-Ａ断面図である。
【図８】図６のＢ視図である。
【図９】図６のＣ視図である。
【図１０】図６のＤ-Ｄ断面図である。
【図１１】実施例３の断面図である。
【図１２】図１１のＡ-Ａ断面図である。
【図１３】図１１のＢ-Ｂ断面図である。
【発明を実施するための形態】
【００１１】
以下に、本発明の好ましい実施の形態を、添付の図面に基づいて詳細に説明する。図１〜図１３は本発明の実施形態にかかわるズームレンズ操作装置である。
【００１２】
［実施例１］
以下、図１〜図５を参照して、本発明の第１の実施例によるズームレンズ操作装置について説明する。
【００１３】
図１は本実施例１の断面図である。図２は図１のＡ−Ａ断面図である。図２における(a)はサムリング1の中立点復帰状態、(b)は撮影者によりサムリング1が操作された状態である。図３は図１のＢ視図である。図３における(a)はサムリング1の中立点復帰状態、(b)は撮影者によりサムリング1が操作された状態、(c)は撮影者がサムリング1から手を離し、サムリング1が中立点に復帰する途中の状態である。また図３における(d)は操作力が強くなる方向に調整つまみ16を回転させた状態である。
【００１４】
図４は図１のＣ視図である。図４における(a)は調整つまみ16が初期位置の状態、(b)は操作力が強くなる方向に調整つまみ16を回転させた状態である。図５は図１のＤ-Ｄ断面図である。図５における(a)は調整つまみ16が初期位置の状態、(b)は操作力が強くなる方向に調整つまみ16を回転させた状態である。
【００１５】
サムリング1による角度検出構造について説明する。
【００１６】
サムリング1はネジ2によって、コマ3を介して回転筒4に取り付けられる。筐体筒5に設けたベアリング6a及び6bを介し押え環7を筐体筒5に取り付けることで、回転筒4は筐体筒5に対して回転可能に保持される。筐体筒5には板金8を介して角度センサ9が固定される。角度センサ9に設けられた回転することで角度を検出するセンサ軸9aが回転筒4に固定される。
【００１７】
このような構造において、サムリング1を回転操作すると、回転筒4を介してセンサ軸9aが回転するため、サムリング1の回転角度信号が検出される。この検出された角度信号により、図示されないテレビレンズのズーム部が駆動する。サムリング1の中立点復帰構造及びサムリング1の操作時の操作感が発生する構造について説明する。
【００１８】
回転筒4に固定されたカムコロ10とスライドカム11に設けられたカム溝11a及びスライドカム11に固定された直動コロ12と筐体筒5に設けられた直溝5aが各々係合する。また、筐体筒5にはカバー13及び内径にネジ部14aが設けられた蓋14が取り付けられている。蓋14にはネジ部14aと係合するネジ部15aを持つストッパー15が設けられ、ストッパー15と調整つまみ16はピン17により連結されているため、調整つまみ16を回転することで、ストッパー15はネジ送り可能となる。スライドカム11とストッパー15の間には、常に押された状態の圧縮コイルバネ18が設けられる。
【００１９】
このような構造において、図２(a)及び図３(a)のように撮影者がサムリング1に触れていない状態では、圧縮コイルバネ18により、直動コロ12と直溝5aにより回転規制されたスライドカム11のカム溝11aがカムコロ10を押す。結果、カムコロ10がカム溝11aにより回転規制されるため、サムリング1が中立点復帰状態となる。次に、図２(b)及び図３(b)のように撮影者がサムリング1を回転操作すると、カムコロ10はカム溝11aに係合しながら回転方向にのみ動き、スライドカム11はカム溝11aに沿って圧縮コイルバネ18を更に押す。
【００２０】
撮影者はこの圧縮コイルバネ18を押すことで受ける反発力を感じるため、それが撮影者の操作感となる。また、調整つまみ16を回転させることで、ストッパー15がネジ送りされるため、圧縮コイルバネ18の押す力を変化させることが可能であり、つまりは撮影者の操作感を変化させることが可能となる。
【００２１】
撮影者がサムリング1を操作している状態から、サムリング1を操作している手を離しサムリング1が中立点に復帰する構造について説明する。
【００２２】
筐体筒5には規制筒19と、筐体筒5に設けたネジ部5bと係合するネジ部20aを介して送り筒20が設けられる。また、送り筒20とショック吸収筒21の間には、常に押された状態の圧縮コイルバネ22が設けられる。このような構造において、中立点復帰周辺では、圧縮コイルバネ22はショック吸収筒21を介してスライドカム11を押す。しかし、図２(b)及び図３(b)で示すように、撮影者がサムリング1を中立点復帰周辺以外で操作している状態では、ショック吸収筒21は規制筒19と当接することでスライドカム11と離れる。
【００２３】
つまりショック吸収筒21とスライドカム11が接触している中立点復帰周辺では、圧縮コイルバネ18による反発力から圧縮コイルバネ22により受ける力を引いた力が撮影者の操作感となる。しかし、前記ショック吸収筒21と規制筒19が当接する中立点復帰周辺の範囲は微小であるため撮影者の操作感を損なうことは無い。また、中立点復帰周辺以外の箇所ではコイルバネ18から受ける反発力のみを感じるため操作感は良い。撮影者がサムリング１から手を離すと、上述したようにサムリング1は中立点に復帰しようとする。
【００２４】
ここで図３(c)に示すように、スライドカム11とカムコロ10による中立点復帰直前にスライドカム11とショック吸収筒21が衝突するため、スライドカム11とカムコロ10が衝突する衝撃が抑制される。つまり、騒音が発生しない。ここで、中立点復帰状態の圧縮コイルバネ18の圧縮量をL、圧縮コイルバネ22の圧縮量をlとし、圧縮コイルバネ18のバネ定数をK、圧縮コイルバネ22のバネ定数をkとするとKL>klが成り立つことで中立点に復帰する構造となる。
【００２５】
調整つまみ16により操作感を変化させた時のKLとklの関係が適切に維持される構造について説明する。
【００２６】
回転筒4に設けたベアリング23a及び23bを介し、押え環24を回転筒4に取り付けることで、回転軸25は回転筒4に対して回転可能に保持される。また、回転軸25にはビス26を介して調整つまみ16が固定されている。更に回転軸25には、溝20bと係合するコロ軸27が固定されている。
【００２７】
このような構造において、図４(a)から図４(b)のように、調整つまみ16を矢印方向に回転させると、図３(d)及び図５(b)で示すように、ストッパー15は圧縮コイルバネ18を更に圧縮する方向にネジ送りされる。同時に送り筒20も圧縮コイルバネ22を更に圧縮する方向にネジ送りされる。つまり、ネジ部14とネジ部15aのネジピッチと圧縮コイルバネ18のバネ定数及びネジ部5bとネジ部20aと圧縮コイルバネ22のバネ定数を設定する。これにより、調整つまみ16により操作感を変化させても、上述したKLとklの関係を適切に維持することが可能となる。
【００２８】
以上の構造によって、撮影者はサムリング1の操作感を損なうことなく、サムリング1の中立点に復帰する音を抑制することが可能となる。
【００２９】
［実施例２］
以下、図６〜図１０を参照して、本発明の第２の実施例によるズームレンズ操作装置について説明する。
【００３０】
図６は本実施例２の断面図である。図７は図６のＡ−Ａ断面図である。図７における(a)はサムリング101の中立点復帰状態、(b)は撮影者によりサムリング101が操作された状態である。図８は図６のＢ視図である。図８における(a)はサムリング101の中立点復帰状態、(b)は撮影者によりサムリング101が操作された状態、(c)は撮影者がサムリング101から手を離し、サムリング101が中立点に復帰する途中の状態である。また図８における(d)は操作力が強くなる方向に調整つまみ116を回転させた状態である。
【００３１】
図９は図６のＣ視図である。図９における(a)は調整つまみ116が初期位置の状態、(b)は操作力が強くなる方向に調整つまみ116を回転させた状態である。図１０は図６のＤ-Ｄ断面図である。図１０における(a)は調整つまみ116が初期位置の状態、(b)は操作力が強くなる方向に調整つまみ116を回転させた状態である。サムリング101による角度検出構造について説明する。
【００３２】
サムリング101はネジ102によって、コマ103を介して回転筒104に取り付けられる。筐体筒105に設けたベアリング106a及び106bを介し押え環107を筐体筒105に取り付けることで、回転筒104は筐体筒105に対して回転可能に保持される。筐体筒105には板金108を介して角度センサ109が固定される。角度センサ109に設けられた回転することで角度を検出するセンサ軸109aが回転筒104に固定される。このような構造において、サムリング101を回転操作すると、回転筒104を介してセンサ軸109aが回転するため、サムリング101の回転角度信号が検出される。この検出された角度信号により、図示されないテレビレンズのズーム部が駆動する。
【００３３】
サムリング101の中立点復帰構造及びサムリング101の操作時の操作感が発生する構造について説明する。
【００３４】
回転筒104に固定されたカムコロ110とスライドカム111に設けられたカム溝111a及びスライドカム111に固定された直動コロ112と筐体筒105に設けられた直溝105aが各々係合する。また、筐体筒105にはカバー113及び内径にネジ部114aが設けられた蓋114が取り付けられる。蓋114にはネジ部114aと係合するネジ部115aを持つストッパー115が設けられ、ストッパー115と調整つまみ116はピン117により連結されているため、調整つまみ116を回転することで、ストッパー115はネジ送り可能となる。スライドカム111とストッパー115の間には、常に押された状態の圧縮コイルバネ118が設けられる。
【００３５】
このような構造において、図７(a)及び図８(a)のように撮影者がサムリング101に触れていない状態では、圧縮コイルバネ118により、直動コロ112と直溝105aにより回転規制されたスライドカム111のカム溝111aがカムコロ110を押す。結果、カムコロ110がカム溝111aにより回転規制されるため、サムリング101が中立点復帰状態となる。
【００３６】
次に、図７(b)及び図８(b)のように撮影者がサムリング101を回転操作すると、カムコロ110はカム溝111aに係合しながら回転方向にのみ動き、スライドカム111はカム溝111aに沿って圧縮コイルバネ118を更に押す。撮影者はこの圧縮コイルバネ118を押すことで受ける反発力を感じるため、それが撮影者の操作感となる。また、調整つまみ116を回転させることで、ストッパー115がネジ送りされるため、圧縮コイルバネ118の押す力を変化させることが可能であり、つまりは撮影者の操作感を変化させることが可能となる。
【００３７】
撮影者がサムリング101を操作している状態から、サムリング101を操作している手を離しサムリング101が中立点に復帰する構造について説明する。
【００３８】
筐体筒105には筐体筒105に設けたネジ部105aと係合するネジ部120aを介して送り筒120が設けられる。また、送り筒120には磁石環121が固定されており、スライドカム111には磁石環121に対して磁力による斥力が発生する磁石環122が固定される。
【００３９】
このような構造において、図７(b)及び図８(b)で示すように、撮影者がサムリング101を操作している状態では、磁石環121と磁石環122は離れた状態となる。つまり、コイルバネ118から磁石環121と磁石環122による斥力を引いた反発力が撮影者の操作感となる。ここで、斥力は磁石環121と磁石環122の距離の二乗に反比例するため、撮影者が斥力を感じる範囲は中立点復帰周辺の微小な範囲であり、且つ斥力は摺動することなく力を発生させるため、撮影者の操作感を損なうことは無い。
【００４０】
撮影者がサムリング101から手を離すと、上述したようにサムリング101は中立点に復帰しようとする。ここで図８(c)に示すように、スライドカム111とカムコロ110による中立点復帰前から磁石環121と磁石環122による斥力が働くため、スライドカム111とカムコロ110が衝突する衝撃が抑制される。つまり、騒音が発生しない。
【００４１】
ここで、中立点復帰状態の圧縮コイルバネ118の圧縮量をL、圧縮コイルバネ22の圧縮量をlとすると、KLが磁石環121及び磁石環122が発生させる斥力より大きいことで中立点に復帰する構造となる。
【００４２】
調整つまみ116により操作感を変化させた時のKLと、磁石環121及び磁石環122が発生させる斥力の関係が適切に維持される構造について説明する。
【００４３】
回転筒104に設けたベアリング123a及び123bを介し、押え環124を回転筒104に取り付けることで、回転軸125は回転筒104に対して回転可能に保持される。また、回転軸125にはビス126を介して調整つまみ116が固定されている。更に回転軸125には、溝120bと係合するコロ軸127が固定されている。
【００４４】
このような構造において、図９(a)から図９(b)のように、調整つまみ116を矢印方向に回転させると、図８(d)及び図１０(b)で示すように、ストッパー115は圧縮コイルバネ118を更に圧縮する方向にネジ送りされる。同時に送り筒120も磁石環121と磁石環122が近くなる方向にネジ送りされる。つまり、ネジ部114aとネジ部115aのネジピッチと圧縮コイルバネ118のバネ定数及びネジ部105bとネジ部120aのネジピッチと磁石環121と磁石環122の磁力を設定する。これにより、調整つまみ116により操作感を変化させても、上述したKLと磁石環121及び磁石環122が発生させる斥力の関係が適切に維持されることが可能となる。
【００４５】
以上の構造によって、撮影者はサムリング101の操作感を損なうことなく、サムリング101の中立点に復帰する音を抑制することが可能となる。
【００４６】
［実施例３］
以下、図１１〜図１３を参照して、本発明の第３の実施例によるズームレンズ操作装置について説明する。
【００４７】
図１１は本実施例３の断面図である。図１２は図１１のＡ−Ａ断面図である。図１３は図１１のＢ-Ｂ断面図である。また、図１２及び図１３における(a) はサムリング201の中立点復帰状態、(b)は撮影者によりサムリング201が操作された状態、(c)は撮影者がサムリング201から手を離し、サムリング201が中立点に復帰する途中の状態である。
【００４８】
サムリング201による角度検出構造について説明する。
【００４９】
サムリング201はネジ202によって、コマ203を介して回転軸204に取り付けられる。また、筐体筒205には直溝環206が固定されている。直溝環206に設けられたベアリング207a及び筐体筒205に設けられたベアリング207bを介し押え環208を筐体筒205に取り付けることで、回転軸204は筐体筒205に対して回転可能に保持される。筐体筒205には板金209を介して角度センサ210が固定される。角度センサ210に設けられた回転することで角度を検出するセンサ軸210aが回転軸204に固定される。
【００５０】
このような構造において、サムリング201を回転操作すると、回転軸204を介してセンサ軸210aが回転するため、サムリング201の回転角度信号が検出される。この検出された角度信号により、図示されないテレビレンズのズーム部が駆動する。
【００５１】
サムリング201の中立点復帰構造及びサムリング201の操作時の操作感が発生する構造について説明する。
【００５２】
回転軸204に固定されたカムコロ211とスライドカム212に設けられたカム溝212a及びスライドカム212に固定された直動コロ213と直溝環206に設けられた直溝206aが各々係合する。また、筐体筒205にはカバー214及び内径にネジ部215aが設けられた蓋215が取り付けられている。ネジ216を介してつまみ217が取り付けられているストッパー218はネジ部215aと係合するネジ部218aが設けられているため、つまみ217を回転することで蓋215に対してストッパー218はネジ送り可能に保持される。スライドカム212とストッパー218の間には、常に押された状態の圧縮コイルバネ219が設けられている。
【００５３】
このような構造において、図１２(a)及び図１３(a)のように撮影者がサムリング1に触れていない状態では、圧縮コイルバネ219により、直動コロ213と直溝環206により回転規制されたスライドカム212のカム溝212aがカムコロ211を押す。結果、カムコロ211がカム溝212aにより回転規制されるため、サムリング201が中立点復帰状態となる。
【００５４】
次に、図１２(b)及び図１３(b)のように撮影者がサムリング201を回転操作すると、カムコロ211はカム溝212aに係合しながら回転方向にのみ動き、スライドカム212はカム溝212aに沿って圧縮コイルバネ219を更に押す。撮影者はこの圧縮コイルバネ219を押すことで受ける反発力を感じるため、それが撮影者の操作感となる。また、つまみ217を回転させることで、ストッパー218がネジ送りされるため、圧縮コイルバネ219の押す力を変化させることが可能であり、つまりは撮影者の操作感を変化させることが可能となる。
【００５５】
撮影者がサムリング201を操作している状態から、サムリング201を操作している手を離しサムリング201が中立点に復帰する構造について説明する。
【００５６】
直溝環206の内部には、ショック吸収筒220により常に押された状態の圧縮コイルバネ221と油222が設けられ、オイルシール223a及び223bを介して封止環224a及び224bが直溝環206に固定されている。このような構造において、中立点復帰周辺では、圧縮コイルバネ221はショック吸収筒220を介してスライドカム212を押す。
【００５７】
しかし、図１２(b)及び図１３(b)で示すように、撮影者がサムリング201を中立点復帰周辺以外で操作している状態では、ショック吸収筒220は封止環224bと当接することでスライドカム212と離れる。つまり、ショック吸収筒220とスライドカム212が接触している中立点復帰周辺では、圧縮コイルバネ219による反発力から圧縮コイルバネ221により受ける力を引いた力が撮影者の操作感となる。しかし、前記ショック吸収筒220と封止環224bが当接する中立点復帰周辺の範囲は微小であるため撮影者の操作感を損なうことは無い。また、中立点復帰周辺以外の箇所ではコイルバネ219から受ける反発力のみを感じるため操作感は良い。
【００５８】
撮影者がサムリング201から手を離すと、上述したようにサムリング201は中立点に復帰しようとする。ここで図１２(c)及び図１３(c)に示すように、スライドカム212とカムコロ211による中立点復帰直前にスライドカム212とショック吸収筒220が衝突し、ショック吸収筒220と油222による粘性抵抗力が発生する。
【００５９】
よって、スライドカム212とカムコロ211が衝突する衝撃が抑制されるため、騒音が発生しない。また、調整つまみ217により圧縮コイルバネ219による反発力を変化させても、ショック吸収部筒220と油222による粘性抵抗は衝突するスライドカム212の速度に依存するため、常に適切なショック吸収力を発揮することが可能となる。
【００６０】
ここで、中立点復帰状態の圧縮コイルバネ219の圧縮量をL、圧縮コイルバネ221の圧縮量をlとし、圧縮コイルバネ219のバネ定数をK、圧縮コイルバネ221のバネ定数をkとするとKL>klが成り立つことで中立点に復帰する構造となる。しかしながら、本実施例においてklは、撮影者の操作時にショック吸収筒220を封止環224bと当接する位置まで押せれば良く、微小な値で良い。よって、調整つまみ217により操作感を変化させてもklを変化させる必要は無い。
【００６１】
以上の構造によって、撮影者はサムリング201の操作感を損なうことなく、サムリング201の中立点に復帰する音を抑制することが可能となる。
【００６２】
以上、本発明の好ましい実施形態について説明したが、本発明はこれらの実施形態に限定されず、その要旨の範囲内で種々の変形及び変更が可能である。
【符号の説明】
【００６３】
1  サムリング、4  回転筒、5  筐体筒、5a  直溝、10  カムコロ、11  スライドカム、
11a  カム溝、12  直動コロ、14  蓋、14a  ネジ部、16  つまみ、15  ストッパー、
15a  ネジ部、16  つまみ、18  圧縮コイルバネ、19  規制筒、20  送り筒、
20a  ネジ部、21  ショック吸収筒、22  圧縮コイルバネ、25  回転軸、27  コロ軸
【図１】
2017097130.tif 000003
【図２】
2017097130.tif 000004
【図３】
2017097130.tif 000005
【図４】
2017097130.tif 000006
【図５】
2017097130.tif 000007
【図６】
2017097130.tif 000008
【図７】
2017097130.tif 000009
【図８】
2017097130.tif 000010
【図９】
2017097130.tif 000011
【図１０】
2017097130.tif 000012
【図１１】
2017097130.tif 000013
【図１２】
2017097130.tif 000014
【図１３】
2017097130.tif 000015